(57)【要約】【課題】ファンユニット搭載時に発生する作業時間を短縮する。【解決手段】開口部を備える電気機器の前記開口部から取り付けられ、当該電気機器の内部を冷却するファンユニットの搭載する際に、前記冷却のために動作するファン部と、前記ファン部を固定している第１の外枠と、前記第１の外枠と回動可能な状態で接合されている第２の外枠と、を備え、当該ファンユニットへ力を加えた場合は、前記第１の外枠と前記第２の外枠の接合部分が回動するファンユニットを前記電子機器に搭載する。【選択図】図４
2010199134.tif 000002
【特許請求の範囲】
【請求項１】
開口部を備える電気機器の前記開口部から取り付けられ、当該電気機器の内部を冷却するファンユニットにおいて、
前記冷却のために動作するファン部と、前記ファン部を固定している第１の外枠と、前記第１の外枠と回動可能な状態で接合されている第２の外枠と、を備え、当該ファンユニットへ力を加えた場合は、前記第１の外枠と前記第２の外枠の接合部分が回動することを特徴とするファンユニット。
【請求項２】
請求項１に記載のファンユニットにおいて前記回動する角度が略９０度であることを特徴とするファンユニット。
【請求項３】
請求項１又は２に記載のファンユニットにおいて、前記力が加えられていない場合は、弾性体により、前記接合部分を水平状態に保つことを特徴とするファンユニット。
【請求項４】
請求項１乃至３の何れか１項に記載のファンユニットにおいて、前記ファン部に電気を供給するための給電コネクタを更に備えており、
当該ファンユニットが前記電気機器に取り付けられた際に、前記給電コネクタが、前記電気機器の備える電気供給を行う部分に嵌挿することを特徴とするファンユニット。
【請求項５】
内部を冷却するために請求項１乃至４の何れか１項に記載のファンユニットを取り付けるための開口部を備える電気機器において、
前記開口部は、前記ファンユニット挿入棚底面に沿って円弧状の受け面が設けられており、前記ファンユニットの前記ファン部は、前記挿入棚底面より略９０度の角度で嵌装されることを特徴とする電子機器。
【請求項６】
開口部を備える電気機器の前記開口部から取り付けられ、当該電気機器の内部を冷却するファンユニットの搭載方法において、
前記冷却のために動作するファン部と、前記ファン部を固定している第１の外枠と、前記第１の外枠と回動可能な状態で接合されている第２の外枠と、を備え、当該ファンユニットへ力を加えた場合は、前記第１の外枠と前記第２の外枠の接合部分が回動するファンユニットを前記電子機器に搭載することを特徴とするファンユニットの搭載方法。
【請求項７】
請求項６に記載のファンユニットの搭載方法において、前記ファンユニットの前記回動する角度が略９０度であることを特徴とするファンユニットの搭載方法。
【請求項８】
請求項６又は７に記載のファンユニットの搭載方法において、前記ファンユニットは、前記力が加えられていない場合は、弾性体により、前記接合部分を水平状態に保つことを特徴とするファンユニットの搭載方法。
【請求項９】
請求項６乃至８の何れか１項に記載のファンユニットの搭載方法において、前記ファンユニットは、前記ファン部に電気を供給するための給電コネクタを更に備えており、
当該ファンユニットが前記電気機器に取り付けられた際に、前記給電コネクタが、前記電気機器の備える電気供給を行う部分に嵌挿することを特徴とするファンユニットの搭載方法。
【請求項１０】
請求項６乃至９の何れか１項に記載のファンユニットの搭載方法において、前記ファンユニットを、
内部を冷却するためにファンユニットを取り付けるための開口部を備える電気機器であって、前記開口部は、前記ファンユニット挿入棚底面に沿って円弧状の受け面が設けられており、前記ファンユニットの前記ファン部は、前記挿入棚底面より略９０度の角度で嵌装される電子機器に搭載することを特徴とするファンユニットの搭載方法。
【発明の詳細な説明】
【技術分野】
【０００１】
本発明は、ラックマウントタイプの装置ユニットに冷却ファンユニットを配置した電子装置において、ファンユニットの搭載作業性を改善することに関する。
【背景技術】
【０００２】
近年、電子機器装置においては、更なる超高密度設計が要求されている。そして、超高密度設計とすることに伴い、電子機器装置に搭載される内部ユニットの搭載・交換には非常に多くの時間を要する。
【０００３】
この点、特にラックマウント型の電子機器等では、上下がほかの電子機器にふさがれる可能性があるため、冷却用の空気取り入れ口は前面に設けることが多い。
【０００４】
そこで、このファンの搭載・交換を容易にすべく特許文献１に記載のような技術がある。特許文献１に記載の技術では、コネクタを取り付けたカセットファンと、筐体に固定されるファン固定枠と、前記ファン固定枠に回転可能に接合され、前記カセットファンを開口面から収納可能に形成され、前記カセットファンのコネクタと嵌合するコネクタを取り付けたファンケースと、を備えたことを特徴とする軸流ファンが提案されている。そして、このようなファンを用いることによりネジによる結合を省略し、搭載・交換を容易としている。
【先行技術文献】
【特許文献】
【０００５】
【特許文献１】特開２００２−２０６５００号公報
【発明の概要】
【発明が解決しようとする課題】
【０００６】
近年、電子機器装置の性能強化及び、縮小化要求に伴い、性能に関係するインターフェイス（例えば、Hard Disk Drive）接続数を多数要求されるが、特許文献１に記載の技術ではファンの搭載アクセス面積が必要となり、インターフェイス接続面積が不足してしまう。
【０００７】
この点について図７に示す。図７を参照すると分かるようにファンユニット１６を電子装置ユニット１７正面背面に搭載する場合、ファンユニット１６の搭載には多くのアクセス面積が必要となり、電子機器装置の性能強化に起因するインターフェイス接続数を多数搭載できない。
【０００８】
そこで、この問題を解決するために図６に示すような構造が考えられる。図６の構造では、ラックマウントタイプで装置ユニット中央部にファンユニット１１を配置する電子装置ユニット１２にて、ファンユニット１１を搭載する際、電子装置ユニット１２をラック１３より引き出してから、上部または側面方向からファンユニット１１の搭載作業を実施
する。これにより、装置ユニットの正面背面がファンで塞がれるという状態は回避できるが、この構造では上述した多くの作業時間が必要となる問題を解決できない。
【０００９】
更に、電子装置ユニット１２をラック１３より引き出すために、電子装置ユニット側面に引き出し用のレール棚１４を搭載し、加えて電子装置ユニット背面の接続ケーブル処理用のケーブル処理機構部材１５を搭載する必要があり、装置原価が高価になる課題があった。
【００１０】
そこで、本発明は、ファンユニット搭載時に、従来の搭載作業に要する時間よりも作業時間を短縮することが可能な搭載作業性を改善するファンユニット構造及びファンユニットの搭載作業性改善方法を提供することを目的とする。
【課題を解決するための手段】
【００１１】
本発明の第１の観点によれば、開口部を備える電気機器の前記開口部から取り付けられ、当該電気機器の内部を冷却するファンユニットにおいて、前記冷却のために動作するファン部と、前記ファン部を固定している第１の外枠と、前記第１の外枠と回動可能な状態で接合されている第２の外枠と、を備え、当該ファンユニットへ力を加えた場合は、前記第１の外枠と前記第２の外枠の接合部分が回動することを特徴とするファンユニットが提供される。
【００１２】
本発明の第２の観点によれば、開口部を備える電気機器の前記開口部から取り付けられ、当該電気機器の内部を冷却するファンユニットの搭載方法において、前記冷却のために動作するファン部と、前記ファン部を固定している第１の外枠と、前記第１の外枠と回動可能な状態で接合されている第２の外枠と、を備え、当該ファンユニットへ力を加えた場合は、前記第１の外枠と前記第２の外枠の接合部分が回動するファンユニットを前記電子機器に搭載することを特徴とするファンユニットの搭載方法が提供される。
【発明の効果】
【００１３】
本発明によれば、ファンユニット搭載時に、従来の搭載作業に要する時間よりも作業時間を短縮することが可能となる。
【図面の簡単な説明】
【００１４】
【図１】本発明の実施形態であるファンユニット１の基本的構成を表す図である。
【図２】電子装置ユニット７内部の基本的構造について表す図である。
【図３】ファンユニットの動作について表す図である。
【図４】ファンユニットを電子装置ユニット内に搭載中の状態図表す図である。
【図５】ファンユニットを電子装置ユニットへ搭載完了した図表す図である。
【図６】関連する技術の課題の説明図（搭載時間／追加部材）表す図である。
【図７】関連する技術の課題の説明図（インターフェイス接続点）表す図である。
【発明を実施するための形態】
【００１５】
次に、本発明の実施形態について図面を用いて詳細に説明する。
【００１６】
本発明の実施形態であるファンユニット１の構造を図１に示す。
【００１７】
ファンユニット１は、ファン単体２、第１の外枠３、第２の外枠４、バネ５及び給電用コネクタ６を有する。
【００１８】
ファン単体２は、ファンユニット１が電子装置ユニット取り付けられた場合に、電子装置ユニット内部を冷却するために動作する送風機である。なお、本発明においてファン単体２の構造や形状等は特に限定されるものではなく、任意の形状のファンを用いることができる。
【００１９】
第１の外枠３及び第２の外枠４は、ファン単体２の外枠となる部分である。第１の外枠３は、ファン単体であるファン単体２を固定している。第２の外枠４は、第１の外枠３と固定されており、平行状態から９０°回転した状態まで可動可能な状態である。
【００２０】
バネ５は、第１の外枠３を第２の外枠４と平行状態に保持する力を有するバネである。なお、今回は、第１の外枠３を第２の外枠４と平行状態に保持する方法の１つとしてバネを例示するが、これは平行状態に保持する方法をバネに限定するものではない。平行状態に保持できるのであればバネ以外を用いてもよい。
【００２１】
給電用コネクタ６は、ファン単体２に電気を供給するためのコネクタである。給電コネクタ６は、第２の外枠４が９０°回転完了した時に、給電用のコネクタとして挿入方向前方に突出する位置に配置されている。
【００２２】
次に、図１のファンユニット１を搭載するラックマウントタイプの電子装置ユニットについて図２に示す。図２は、電子装置ユニット７の内部構造を示す図である。なお、電子装置ユニットが、どのような機能の電子装置であっても、本適用可能である。
【００２３】
電子装置ユニット７内部には、ファンユニット１の挿入棚底面８に沿って円弧状の受け面９が設けられている。
【００２４】
なお、図１及び図２に示す構造は例示であり、本発明の実施形態における、第１の外枠３、第２の外枠４の形状・位置、給電用コネクタ６の位置、電子装置ユニット７内部の位置・数量・構造は、上記の限りでは無い。例えば、ファンユニット１の挿入向きを変えることで、９０°回転する方向が横向き若しくは下向きでも本構造は有効である。また、ファンユニット１の位置・使用台数等についても、上記の限りでは無い。
【００２５】
次に、ファンユニット１の動作について図３を参照して説明する。
【００２６】
バネ５にて平行に保持されたファンユニット１は、外力を加えない状態では、その水平状態を保っている。そして、ファンユニット１に外力を加えることでファン単体２とファン単体を固定している第２の外枠４が９０°まで回転可能な構造を有している。
【００２７】
また、第２の外枠４が９０°回転完了した時に、給電用コネクタ６がファンユニット前方に凸形状となる構造を有している。
【００２８】
次に、図４及び図５を用いて、電子装置ユニット７へファンユニット１を搭載した際の動作について説明する。
【００２９】
まず、電子装置ユニット７へファンユニット１を搭載している状態を図４に示す。電子装置ユニット７へファンユニット１を搭載することで、電子装置ユニット７内部にある円弧状の受け面９に沿って、ファンユニット１の第２の外枠４が回転し始める。そして、ファンユニット１の搭載完了と共に第２の外枠４が９０°の回転を完了し、電子装置ユニット７への搭載が完了する。
【００３０】
この搭載完了した状態を図５に示す。また搭載完了と同時に、ファンユニット１へ給電コネクタ６により電力給電がされることで、ファン２が回転し冷却効果が得られる構造となっている。
【００３１】
次に、本実施形態の効果について説明する。
【００３２】
本発明の第１の効果は、ファンユニット搭載時に、従来の搭載作業に要する時間よりも作業時間を短縮可能となることである。
【００３３】
つまり、ラックマウントタイプで装置中央部にファンユニットを配置する電子装置ユニットにおいて、ファンユニット搭載をする場合、ラックから電子装置ユニットを引き出さずに搭載可能となるため、搭載作業時間が大幅に削減できる。
【００３４】
第２の効果は、ラックからの電子装置ユニット引き出し用の部材が不要となり、装置原価の低減が可能となることである。
【００３５】
つまり、ラックから電子装置ユニットを引き出す必要が無いため、電子装置ユニット側面または底面または上面に搭載する引き出し用のスライドレールや、電子装置ユニット背面に搭載する接続ケーブル処理用のケーブルアーム機構が不要となる。よって、その部材原価分について原価低減が可能となる。
【００３６】
第３の効果は、電子装置ユニットに接続される外部インターフェイス接続部を多数搭載可能となることである。
【００３７】
つまり、電子装置ユニットのアクセス面に対して、ファン単体の向きを水平方向のまま、電子装置ユニットに挿入することにより、ファンユニットの搭載に必要となるアクセス面積が従来よりも大幅に（最大約８０％程度を想定）削減できるため、電子装置ユニットの外部インターフェイス接続エリアを拡大することができ、多数の接続部を搭載可能となる。
【００３８】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【産業上の利用可能性】
【００３９】
本発明で提案する搭載作業性改善可能なファンユニット構造は、コンピュータ装置、すなわち電子・電気機器等を主に、ファンユニットを必要とする分野に対し広く適用できる。
【符号の説明】
【００４０】
１  ファンユニット
２  ファン単体
３  第１の外枠
４  第２の外枠
５  バネ
６  給電用コネクタ
７  電子装置ユニット
８  挿入棚底面
９  受け面
【図１】
2010199134.tif 000003
【図２】
2010199134.tif 000004
【図３】
2010199134.tif 000005
【図４】
2010199134.tif 000006
【図５】
2010199134.tif 000007
【図６】
2010199134.tif 000008
【図７】
2010199134.tif 000009